(57)【要約】【解決手段】矩形状の透明フィルムを二つ折りにしてポケット部材１を設ける。合成樹脂製の台紙ロール２の長手両側方向から左右一対のポケット部材１で台紙ロール２を挟着する。台紙ロール２を切断して台紙Ｑを形成すると共に、ポケット部材１と台紙ロール２とを一体に接合する。ポケット部材１で前記台紙ロール２を左右から挟着したときに、台紙ロール２の表裏面でポケット部材１の開放端部１Ａ相互が接するように形成する。該開放端部１Ａを封着しながら表紙カバーＲに接合する。【効果】製造工程を極めて簡略化することができる。新規な構成のクリアファイルを提供することができる。【選択図】　図１
2004122519.tif 000002
【特許請求の範囲】
【請求項１】
左右一対の台紙入りクリアポケットが複数枚重合され、該クリアポケットの中央部分で表紙カバーに接合されたクリアファイルの製造方法において、台紙入りクリアポケットは、矩形状の透明フィルムを二つ折りにしてポケット部材を設け、合成樹脂製の台紙ロールの長手両側方向から左右一対のポケット部材で台紙ロールを挟着し、台紙ロールを切断して台紙を形成すると共に、ポケット部材と台紙とを一体に接合することを特徴とするクリアファイルの製造方法。
【請求項２】
前記ポケット部材は、前記台紙ロールを左右から挟着したときに、台紙ロールの表裏面でポケット部材の開放端部相互が接するように形成され、該開放端部を封着しながら表紙カバーに接合する請求項１記載のクリアファイルの製造方法。
【請求項３】
前記台紙は、前記クリアポケットの底部と前記ポケット部材の開放端部とにおいてクリアポケットに溶着される請求項１又は２記載のクリアファイルの製造方法。
【発明の詳細な説明】
【０００１】
【発明の属する技術分野】
本発明は、台紙入りクリアポケットを有するクリアファイルの製造方法に関するものである。
【０００２】
【従来の技術】
従来、図４に示されるクリアファイルを製造する際に、このクリアファイルのポケット部分を構成するクリアポケットが予め製造される（図３参照）。
【０００３】
このクリアポケットの製造方法は、特許文献１乃至３に示されているように、ポケットを成形した後で、台紙をポケットの中に挿入する製造工程を採用している（図３参照）。すなわち、特許文献１は、左右に位置する第１ポケットと第２ポケットを成形した後で、夫々のポケットに台紙を挿入してクリアポケットが設けられる。また、特許文献２及び特許文献３では、透明な薄肉チューブ状物に切り裂き部を設け、この切り裂き部から左右一対の台紙をチューブ内に挿入してから該チューブを切断してクリアポケットを製造するものである。
【０００４】
一方、特許文献４は、筒状のインフレーションフィルムを使用するもので、このフィルムの中心部を切り開いて透明な前面シートと後面シートとを形成し、これらシートの間に連続する帯状の台紙を挿入する。そして、これらのシートと台紙を一体にして切断することでクリアポケットを製造するものである。
【０００５】
【特許文献１】
特開昭６２−６６９９９号公報
【特許文献２】
特開平５−１８５７８８号公報
【特許文献３】
特開平８−７２４５４号公報
【特許文献４】
特開平３−２４９９６号公報
【０００６】
【発明が解決しようとする課題】
前記特許文献１乃至３に記載されている製造方法では、ポケットを成形した後で、台紙をポケットの中に挿入する工程が必要になるので、台紙を挿入する作業に多くの手間を要するものになり、製造コストを高め、製造工程も複雑にならざるを得ないものであった。
【０００７】
一方、特許文献４に記載された製造方法によると、筒状のインフレーションフィルムの中心部を切り開いて透明な前面シートと後面シートとを観音開き状に形成する工程や、連続している透明シートの内部に、帯状に連続する台紙を順次挿入する工程が極めて難しい工程になっている。
【０００８】
そこで、本発明は上述の課題を解消すべく創出されたもので、透明なポケットの内部に台紙を挿入する工程を省くことで、台紙入りクリアポケットの製造工程を極めて簡略化することができるクリアファイルの製造方法を目的とするものである。
【０００９】
【課題を解決するための手段】
上述の目的を達成すべく本発明の第１の手段は、左右一対の台紙入りクリアポケットＰが複数枚重合され、該クリアポケットＰの中央部分で表紙カバーＲに接合されたクリアファイルの台紙入りクリアポケットの製造方法において、矩形状の透明フィルムを二つ折りにしてポケット部材１を設け、合成樹脂製の台紙ロール２の長手両側方向から左右一対のポケット部材１で台紙ロール２を挟着し、台紙ロール２を切断して台紙Ｑを形成すると共に、ポケット部材１と台紙ロール２とを一体に接合することにある。
【００１０】
第２の手段におけるポケット部材１は、前記台紙ロール２を左右から挟着したときに、台紙ロール２の表裏面でポケット部材１の開放端部１Ａ相互が接するように形成され、該開放端部１Ａを封着しながら表紙カバーＲに接合するものである。
【００１１】
第３の手段における台紙Ｑは、前記クリアポケットＰの底部Ｐ１と前記ポケット部材１の開放端部１ＡとにおいてクリアポケットＰに溶着されることを課題解消のための手段とする。
【００１２】
【発明の実施の形態】
以下、図面を参照して本発明の実施の形態を詳細に説明する。本発明では、クリアポケットＰを形成するポケット部材１と、台紙Ｑを形成する台紙ロール２とを使用して台紙入りクリアポケットを形成する。
【００１３】
ポケット部材１は、矩形状の透明フィルムを二つ折りにして設けてある。この透明フィルムの材質は、クリアポケットとして一般に使用されている合成樹脂材、例えばポリプロピレン、ＯＰＰ等を使用する。また、透明フィルムを二つ折りにする際に、ポケット部材１の開放端部１Ａ相互が接するように折曲する。
【００１４】
一方、台紙ロール２は、適当な長さで切断することで台紙Ｑを形成するもので、帯状の合成樹脂材をロール状に巻き付けている。この材質もポリプロピレン、ＯＰＰ等を使用する。そして、該台紙ロール２の長手両側方向から左右一対のポケット部材１で台紙ロール２を挟着する。このとき、台紙ロール２の表裏面でポケット部材１の開放端部１Ａ相互が接するように、台紙ロール２の幅を設定している。また同様に、ポケット部材１の屈曲部から開放端部１Ａに至る長さも台紙ロール２の幅と略一致するように設定している。また、ポケット部材１は、台紙ロール２に対して左右から挟着するものであるから、ポケット部材１の左右の材質や色彩を変えることで、左右のポケットの材質や色彩が異なったクリアファイルを製造することも可能である。
【００１５】
ポケット部材１と台紙ロール２とが重合した状態で、台紙ロール２を切断し、この切断作業と共に、ポケット部材１と台紙ロール２とを一体に接合する。ポケット部材１と台紙ロール２とがいずれもポリプロピレン、ＯＰＰ等の合成樹脂材であることから、クリアポケットＰの底部Ｐ１になる部分をウェルダー溶着すると共に、台紙ロール２を切断して台紙Ｑを形成するものである。
【００１６】
このように形成されたクリアポケットＰは、底部Ｐ１が溶着された状態で、左右のポケット部材１が台紙Ｑに接合されている（図１参照）。このとき、ポケット部材１の開放端部１Ａは、未だ開放状態にあるので、この開放端部１Ａを封着しながら表紙カバーＲに接合する。この結果、台紙Ｑは、前記クリアポケットＰの底部Ｐ１と前記ポケット部材１の開放端部１ＡとにおいてクリアポケットＰに溶着されることになり、クリアポケットＰから台紙Ｑが抜け出ることがなく、台紙Ｑが強固に固定される（図２参照）。
【００１７】
本発明で製造したクリアポケットＰを表紙カバーＲに接合する方法は、従来の製造方法と同じ工程となる。すなわち、クリアポケットＰを複数枚重合し、該クリアポケットＰの中央部分Ｐ２で、各クリアポケットＰと表紙カバーＲとを溶着接合するものである（図２参照）。前記ポケット部材１の開放端部１Ａは、この工程で封着されるものである。
【００１８】
【発明の効果】
本発明は、上述の如く構成したことにより、当初の目的を達成する。
【００１９】
すなわち、矩形状の透明フィルムを二つ折りにしてポケット部材１を設け、台紙Ｑを形成する合成樹脂製の台紙ロール２の長手両側方向から左右一対のポケット部材１で台紙ロール２を挟着し、台紙ロール２を切断して台紙Ｑを形成すると共に、ポケット部材１と台紙ロール２とを一体に接合することによって、従来の特許文献１乃至３に記載されているような透明ポケットの内部に台紙を挿入する工程を省くことが可能になり、製造工程を極めて簡略化することができる。
【００２０】
しかも、台紙ロール２を二つ折りのポケット部材１で挟着するだけで、溶着、切断作業が可能になるから、特許文献４に記載されているように、フィルムの中心部を切り開いて透明な前面シートと後面シートとを形成する工程や、連続する透明シートの間に帯状の台紙を挿入するといった手間のかかる工程などが一切必要なくなり、合理的な製造が可能になった。
【００２１】
また、ポケット部材１は、前記台紙ロール２を左右から挟着したときに、台紙ロール２の表裏面でポケット部材１の開放端部１Ａ相互が接するように形成され、該開放端部１Ａを封着しながら表紙カバーＲに接合するものであるから、特許文献４に記載されているように、筒状のインフレーションフィルムの中心部を切り開くような工程が省略されるので、クリアポケットＰの製造工程がさらに簡略化されている。更に、単体のポケット部材１で台紙ロール２を挟着する工程により、ポケット部材１の左右の材質や色彩等の変更も可能になり、筒状のインフレーションフィルムを使用した従来の製造方法では不可能な新規な構成のクリアファイルを製造することが可能である。
【００２２】
しかも、台紙Ｑは、前記クリアポケットＰの底部Ｐ１と前記ポケット部材１の開放端部１ＡとにおいてクリアポケットＰに溶着されているので、台紙ＱとクリアポケットＰとが強固に接合されるものになり、丈夫なクリアポケットＰを提供することができる。
【００２３】
このように、本発明によると、透明なポケットの内部に台紙を挿入する工程を省くなど製造工程を極めて簡略化することが可能になり、しかも、新規な構成のクリアファイルを提供することができるなどといった有益な種々の効果を奏するものである。
【図面の簡単な説明】
【図１】本発明の製造工程を示す分解斜視図。
【図２】本発明で製造したクリアファイルを示す斜視図。
【図３】従来の製造工程を示す分解斜視図。
【図４】従来の製造方法で製造したクリアファイルを示す斜視図。
【符号の説明】
Ｐ　クリアポケット
Ｐ１　底部
Ｐ２　中央部分
Ｑ　台紙
Ｒ　表紙カバー
１　ポケット部材
１Ａ　開放端部
２　台紙ロール
【図１】
2004122519.tif 000003
【図２】
2004122519.tif 000004
【図３】
2004122519.tif 000005
【図４】
2004122519.tif 000006